(57)【要約】【課題】支持部または回転部に着脱可能に設置される棘部を用いて、飛び降り自殺をしようとする者の飛び降り及び墜落をより効果的に阻止することができる墜落防止及び飛び降り自殺防御回転体システムを提供すること。【解決手段】墜落防止及び飛び降り自殺防御回転体システムに関するものであって、支持部と、前記支持部に回転可能に設置され、飛び降り自殺をしようとする者によって把持される場合、回転して前記飛び降り自殺をしようとする者の飛び降りを阻止する回転部、及び尖端を形成し、前記支持部または前記回転部のうちのいずれか一つ以上に着脱可能に設置される棘部を備える。【選択図】図１
2019027275.tif 000002
【特許請求の範囲】
【請求項１】
支持部と、
前記支持部に回転可能に設置され、飛び降り自殺をしようとする者によって把持される場合、回転して前記飛び降り自殺をしようとする者の飛び降りを阻止する回転部と、
尖端を形成し、前記支持部または前記回転部のうちのいずれか一つ以上に着脱可能に設置される棘部を備える
ことを特徴とする墜落防止及び飛び降り自殺防御回転体システム。
【請求項２】
前記棘部は、
前記支持部または前記回転部のうちのいずれか一つ以上にスライディング形態で設置される
請求項１に記載の墜落防止及び飛び降り自殺防御回転体システム。
【請求項３】
前記支持部は、
地面または構造物のうちのいずれか一つに設置される
請求項１に記載の墜落防止及び飛び降り自殺防御回転体システム。
【請求項４】
前記支持部は、
前記飛び降り自殺をしようとする者が前記回転部を把持することにより、外力が印加される場合、前記飛び降り自殺をしようとする者の重心が撹乱されるように姿勢が変化する
請求項３に記載の墜落防止及び飛び降り自殺防御回転体システム。
【請求項５】
前記回転部は、
内部空間を形成するパイプと、前記支持部に設置されて前記内部空間に配置される軸と、前記パイプの内周面に接触して前記内部空間で回転可能に前記軸に連結されるベアリングを含む
請求項１ないし４のいずれかに記載の墜落防止及び飛び降り自殺防御回転体システム。
【請求項６】
前記支持部は、
前記地面または前記構造物に結合される結合部と、前記回転部が端部に設置され、前記結合部よりも狭い幅で形成されて前記結合部に設置される本体部を含む
請求項５に記載の墜落防止及び飛び降り自殺防御回転体システム。
【請求項７】
前記結合部は、
前記構造物の外面を圧迫することにより、前記構造物に結合される
請求項６に記載の墜落防止及び飛び降り自殺防御回転体システム。
【請求項８】
前記結合部は、
前記地面に対して、既定の角度を有するように設けられる
請求項７に記載の墜落防止及び飛び降り自殺防御回転体システム。
【請求項９】
前記回転部は、
一対で設けられて、既定の間隔で離隔されて配置され、
前記支持部に設置されて前記既定の間隔に配置され、流体が通過するように貫通孔が形成されるプレート部をさらに含む
請求項８に記載の墜落防止及び飛び降り自殺防御回転体システム。
【請求項１０】
前記プレート部は、
複数個に設けられ、一部分が相互に向き合うように、前記支持部に設置される
請求項９に記載の墜落防止及び飛び降り自殺防御回転体システム。
【請求項１１】
前記プレート部は、
ポリカーボネートで設けられる
請求項１０に記載の墜落防止及び飛び降り自殺防御回転体システム。
【発明の詳細な説明】
【技術分野】
【０００１】
本発明は、墜落防止及び飛び降り自殺防御回転体システムに関する。より詳細には、支持部または回転部に着脱可能に設置される棘部を用いて、飛び降り自殺をしようとする者の飛び降り及び墜落をより効果的に阻止することができる墜落防止及び飛び降り自殺防御回転体システムに関する。
【背景技術】
【０００２】
韓国の自殺死亡率は、２０１１年基準人口１０万人当り３１.７人であって、２００３年以後現在まで、ＯＥＣＤ国家のうちで１位を記録しており、政府で２００４年と２００９年にそれぞれ自殺予防総合対策を２回も出したにも関われず、自殺率は持続的に増加している。
【０００３】
一方、近来では、橋梁、高層建物などで飛び降り自殺する比率が特に急増している。このような飛び降り自殺を防止するための施設としては、橋梁、高層建物などの端に設置されるフェンスがある。
【０００４】
河川や海上に施工された橋梁の欄干として設置されるフェンスの場合、橋梁に印加される風荷重及び周囲の景観との調和やデザイン及び観望性などを考慮して、１ｍ内外の比較的低い高さに設置される。前述したように、このような従来のフェンスは、設置される高さが低いため、飛び降り自殺をしようとする者がフェンスを上って意図的に飛び降りることを防止するには効果的ではない。
【０００５】
一方、大型建物の屋上に設置されるフェンスの場合、墜落を防止するためには、２〜３ｍほどの高さに設置されなければならない。しかし、ほとんどの場合、費用及び美観上の理由で、１〜１.２ｍ余りの高さにフェンスが設置されており、建物に設置されるフェンスの場合にも、橋梁の場合と同様に、意図的な飛び降り行為を効果的に防止することはできない。
特許文献１は、飛び降り自殺防御回転体システムに対して開示する。
【０００６】
特許文献１は、構造物に設置される支持部と支持部に回転可能に設置されて回転する回転部を含み、飛び降り自殺をしようとする者が回転部を把持する場合、回転部が回転することを用いて、飛び降り自殺をしようとする者の飛び降りを阻止する。
【０００７】
特許文献１によれば、支持部の位置は固定されている。したがって、飛び降り自殺をしようとする者が他の道具及び装置などを用いて、回転部の回転を阻止した後、回転部及び支持部を把持した状態で上ると、飛び降りに成功する確率が非常に高くなる問題がある。
【先行技術文献】
【特許文献】
【０００８】
【特許文献１】韓国登録特許第１０-１６３１８１３号
【発明の概要】
【発明が解決しようとする課題】
【０００９】
本発明の目的は、前述した従来の問題点を解決するためのものであって、支持部または回転部に着脱可能に設置される棘部を用いて、飛び降り自殺をしようとする者の飛び降り及び墜落をより効果的に阻止することができる墜落防止及び飛び降り自殺防御回転体システムを提供することにある。
【課題を解決するための手段】
【００１０】
前記目的は、本発明により、支持部と、前記支持部に回転可能に設置され、飛び降り自殺をしようとする者によって把持される場合、回転して前記飛び降り自殺をしようとする者の飛び降りを阻止する回転部、及び尖端を形成し、前記支持部または前記回転部のうちのいずれか一つ以上に着脱可能に設置される棘部を含む墜落防止及び飛び降り自殺防御回転体システムによって達成される。
また、前記棘部は、前記支持部または前記回転部のうちのいずれか一つ以上にスライディング形態で設置されることができる。
また、前記支持部は、地面または構造物のうちのいずれか一つに設置されることができる。
【００１１】
また、前記支持部は、前記飛び降り自殺をしようとする者が前記回転部を把持することにより、外力が印加される場合、前記飛び降り自殺をしようとする者の重心が撹乱されるように姿勢が変化することができる。
【００１２】
また、前記回転部は、内部空間を形成するパイプと、前記支持部に設置されて前記内部空間に配置される軸と、前記パイプの内周面に接触して前記内部空間で回転可能に前記軸に連結されるベアリングを含むことができる。
【００１３】
また、前記支持部は、前記地面または前記構造物に結合される結合部と、前記回転部が端部に設置され、前記結合部よりも狭い幅で形成されて前記結合部に設置される本体部を含むことができる。
また、前記結合部は、前記構造物の外面を圧迫することにより、前記構造物に結合されることができる。
また、前記結合部は、前記地面に対して、既定の角度を有するように設けられることができる。
【００１４】
また、前記回転部は一対で設けられて、既定の間隔で離隔されて配置され、前記支持部に設置されて前記既定の間隔に配置され、流体が通過するように貫通孔が形成されるプレート部をさらに含むことができる。
また、前記プレート部は、複数個に設けられ、一部分が相互に向き合うように、前記支持部に設置されることができる。
また、前記プレート部は、ポリカーボネート（Ｐｏｌｙｃａｒｂｏｎａｔｅ）で設けられることができる。
【発明の効果】
【００１５】
本発明によれば、支持部または回転部に着脱可能に設置される棘部により、飛び降り自殺をしようとする者の飛び降り及び墜落がより効果的に阻止されることができる。
また、本発明によれば、構造物に損傷を与えることなく、結合部を構造物に設置することができる効果がある。
【００１６】
また、本発明によれば、飛び降り自殺をしようとする者が飛び降りを図るために、回転部を把持する場合、支持部の姿勢が変化するので、飛び降り自殺をしようとする者の重心が撹乱されることができ、これによって、飛び降り自殺をしようとする者が支持部を越えることが効果的に防止される。
【００１７】
また、本発明によれば、飛び降り自殺をしようとする者の飛び降りが効果的に阻止されるのはもちろんのこと、飛び降り自殺をしようとする者ではない人が墜落することも防止される効果がある。すなわち、墜落危険が高い地域において、子供、児童または他の大人などの不注意による墜落安全事故が予防されることができる効果がある。
【００１８】
また、本発明によれば、本体部が地面に対して、既定の角度を有するように結合部に設置されることによって、飛び降り自殺をしようとする者が回転部及び本体部を把持して上ろうとすることがより効果的に防止されることができる。
また、本発明によれば、結合部よりも狭い幅で形成される本体部によって、支持部の製作時単価が節減される効果がある。
【００１９】
また、本発明によれば、本体部に形成される突起によって、飛び降り自殺をしようとする者が支持部を把持して上ろうとすることが効果的に防止されることができる。
【００２０】
また、本発明によれば、複数個の回転部の間の既定の間隔に配置され、流体が通過するように貫通孔が形成されるプレート部によって、景観性が確保されるとともに、構造物に加わる風荷重が最小化されることができる。
【００２１】
また、本発明によれば、複数個に設けられ、一部分が相互に向き合うように支持部に設置されるプレート部によって、流体が流動する流動路が追加的に確保され、これによって構造物に加わる風荷重がさらに減る効果がある。
【図面の簡単な説明】
【００２２】
【図１】本発明の第１実施例に係る墜落防止及び飛び降り自殺防御回転体システムを正面から全体的に示した説明図
【図２】本発明の第１実施例に係る墜落防止及び飛び降り自殺防御回転体システムを背面から全体的に示した説明図
【図３】本発明の第１実施例に係る墜落防止及び飛び降り自殺防御回転体システムを側面から示した説明図
【図４】本発明の第１実施例に係る墜落防止及び飛び降り自殺防御回転体システムの本体部の第１動作を側面から示した説明図
【図５】本発明の第１実施例に係る墜落防止及び飛び降り自殺防御回転体システムの本体部の第２動作を側面から示した説明図
【図６】本発明の第１変形例に係る墜落防止及び飛び降り自殺防御回転体システムを側面から示した説明図
【図７】本発明の第２変形例に係る墜落防止及び飛び降り自殺防御回転体システムを側面から示した説明図
【図８】本発明の第１実施例に係る墜落防止及び飛び降り自殺防御回転体システムの回転部と支持部が結合されたものを示した説明図
【図９】本発明の第１実施例に係る墜落防止及び飛び降り自殺防御回転体システムの支持部が構造物に結合されたものを示した説明図
【図１０】本発明の第１実施例に係る墜落防止及び飛び降り自殺防御回転体システムのベアリングが反時計方向に回転することを示した説明図
【図１１】本発明の第１実施例に係る墜落防止及び飛び降り自殺防御回転体システムのベアリングが時計方向に回転することを示した説明図
【図１２】本発明の第１実施例に係る墜落防止及び飛び降り自殺防御回転体システムの管制部に連結される電気的な構成を示した説明図
【図１３】本発明の第１実施例に係る墜落防止及び飛び降り自殺防御回転体システムの作動を示した説明図
【図１４】本発明の第１実施例に係る墜落防止及び飛び降り自殺防御回転体システムの支持部及び回転部に棘部が設置されたものを示した説明図
【図１５】本発明の第１実施例に係る墜落防止及び飛び降り自殺防御回転体システムの回転部に形成された設置溝を示した説明図
【図１６】本発明の第１実施例に係る墜落防止及び飛び降り自殺防御回転体システムの回転部の設置溝にスライディング形態で棘部を設置するものを示した説明図
【図１７】本発明の第１実施例に係る墜落防止及び飛び降り自殺防御回転体システムの支持部を地面に設置したものを示した説明図
【図１８】本発明の第１実施例に係る墜落防止及び飛び降り自殺防御回転体システムの結合部を構造物に設置する形態を示した説明図
【図１９】本発明の第２実施例に係る墜落防止及び飛び降り自殺防御回転体システムを正面から全体的に示した説明図
【図２０】本発明の第２実施例に係る墜落防止及び飛び降り自殺防御回転体システムを背面から全体的に示した説明図
【図２１】本発明の第２実施例に係る墜落防止及び飛び降り自殺防御回転体システムを側面から示した説明図
【発明を実施するための形態】
【００２３】
以下、添付した図面を参照して、本発明の第１実施例に係る墜落防止及び飛び降り自殺防御回転体システムについて詳細に説明する。
【００２４】
図１は、本発明の第１実施例に係る墜落防止及び飛び降り自殺防御回転体システムを正面から全体的に示した図であり、図２は、本発明の第１実施例に係る墜落防止及び飛び降り自殺防御回転体システムを背面から全体的に示した図であり、図３は、本発明の第１実施例に係る墜落防止及び飛び降り自殺防御回転体システムを側面から示した図であり、図４は、本発明の第１実施例に係る墜落防止及び飛び降り自殺防御回転体システムの本体部の第１動作を側面から示した図であり、図５は、本発明の第１実施例に係る墜落防止及び飛び降り自殺防御回転体システムの本体部の第２動作を側面から示した図であり、図６は、本発明の第１変形例に係る墜落防止及び飛び降り自殺防御回転体システムを側面から示した図であり、図７は、本発明の第２変形例に係る墜落防止及び飛び降り自殺防御回転体システムを側面から示した図であり、図８は、本発明の第１実施例に係る墜落防止及び飛び降り自殺防御回転体システムの回転部と支持部が結合されたものを示した図であり、図９は、本発明の第１実施例に係る墜落防止及び飛び降り自殺防御回転体システムの支持部が構造物に結合されたものを示した図であり、図１０は、本発明の第１実施例に係る墜落防止及び飛び降り自殺防御回転体システムのベアリングが反時計方向に回転することを示した図であり、図１１は、本発明の第１実施例に係る墜落防止及び飛び降り自殺防御回転体システムのベアリングが時計方向に回転することを示した図であり、図１２は、本発明の第１実施例に係る墜落防止及び飛び降り自殺防御回転体システムの管制部に連結される電気的な構成を示した図であり、図１３は、本発明の第１実施例に係る墜落防止及び飛び降り自殺防御回転体システムの作動を示した図であり、図１４は、本発明の第１例に係る墜落防止及び飛び降り自殺防御回転体システムの支持部及び回転部に棘部が設置されたものを示した図であり、図１５は、本発明の第１実施例に係る墜落防止及び飛び降り自殺防御回転体システムの回転部に形成された設置溝を示した図であり、図１６は、本発明の第１実施例に係る墜落防止及び飛び降り自殺防御回転体システムの回転部の設置溝にスライディング形態で棘部を設置するものを示した図であり、図１７は、本発明の第１実施例に係る墜落防止及び飛び降り自殺防御回転体システムの支持部を地面に設置したものを示した図であり、図１８は、本発明の第１実施例に係る墜落防止及び飛び降り自殺防御回転体システムの結合部を構造物に設置する形態を示した図である。
【００２５】
図１〜図１８に示すように、本発明の第１実施例に係る墜落防止及び飛び降り自殺防御回転体システム１００は、支持部１１０と回転部１２０と監視カメラ１３０とスピーカー１４０と管制センター１５０と棘部１６０を含む。
支持部１１０は、地面または構造物に設置されるものであって、後述する回転部１２０が設置される。
【００２６】
ここで、地面とは、支持部１１０が設置される床面、すなわち、アパート、高層建物、一般住宅の屋上の縁の施設または橋梁、高速化道路、歩道橋、船舶などの床面であり得る。
【００２７】
また、ここで構造物とは、アパート、高層建物、一般住宅の屋上の縁の施設または橋梁、高速化道路、歩道橋、船舶の両端に設置された既存の欄干または公演会場、観光地、運動場に設置された欄干、その他の墜落の危険がある場所に設置されたＨビームなどの物体などであり得る。
【００２８】
すなわち、支持部１１０は、アンカーを用いて単独で地面に設置（図１７参照）されるか、土工方式で地面に設置されるか、地面に設置されたＨビームの上段に設置（図１７参照）されるか、既存の欄干に設置されることができる。
【００２９】
支持部１１０が既存の欄干に設置される場合、飛び降り防止システムを設置するにおいて、既存の欄干を全体的に除去する不便さが減少し、飛び降り防止システムの施工時、既存の欄干をそのまま活用することができるため、施工時間短縮及び施工単価が節約される利点があり、また、維持及び保守が容易になる利点がある。
【００３０】
このような支持部１１０は、飛び降り自殺をしようとする者が、後述する回転部１２０を把持することにより、外力が印加される場合、飛び降り自殺をしようとする者の重心が撹乱されるように姿勢が変化するものであって、一端部は構造物に設置され、他端部は後述する回転部１２０が回転可能に設置されることができる。
【００３１】
支持部１１０は、鋳物方式で製造されることができる。支持部１１０は、現場の状況に応じて、様々な長さで製造される。しかし、製造される長さが長くなる場合、ねじれが発生する問題がある。したがって、支持部１１０は前述したねじれ問題を防止するため、一側面に突出翼が形成されることができる。
一方、支持部１１０は、より詳細に、結合部１１１と本体部１１２を含む。
【００３２】
結合部１１１は、地面または構造物に結合されるものであって、後述する本体部１１２が上面に設置される。このような結合部１１１は、締結部材によって構造物に結合されることができる。
【００３３】
一方、結合部１１１がボルティング（ｂｏｌｔｉｎｇ）結合などの方法（構造物自体を損傷させる形態で結合）で構造物に結合される場合、既存の構造物の安全等級と関連して問題になる。したがって、結合部１１１が構造物に結合される場合、結合部１１１は、図１８に示すように、構造物の外面を圧迫することにより、構造物に結合されることが好ましい。（構造物の等級に影響を与えない。）
【００３４】
本体部１１２は、後述する回転部１２０が一端部に設置されるものであり、他端部は、前述した結合部１１１の上面に設置される。このような本体部１１２は、結合部１１１よりも狭い幅で形成される。すなわち、本体部１１２は、結合部１１１が構造物に設置される方向に垂直な方向に結合部１１１の上面に設置されて、このとき、本体部１１２の幅が結合部１１１の幅よりも狭くなるように形成される。
このような本体部１１２の結合構造によれば、本体部１１２の製作時に材料が少なく投入されるので、本体部１１２の製造単価が節減される効果がある。
【００３５】
一方、本体部１１２は、地面に対して既定の角度（ｘ）を有するように設けられることができる。既定の角度（ｘ）は、４０度〜７５度の間で設けられることが好ましいが、地面を基準に鋭角または鈍角をすべて含むことができる。すなわち、既定の角度（ｘ）は、地面を基準に鋭角または鈍角をすべて含むことができる。既定の角度（ｘ）が鋭角である場合、本体部１１１は飛び降り自殺をしようとする者に向かう方向に傾き、既定の角度（ｘ）が鈍角である場合、本体部１１１は飛び降り自殺をしようとする者が位置した方向に対向する方向に傾く。（図３及び図６参照）
また、このような本体部１１２は、周囲の環境を考慮して、周囲の環境にふさわしい多様な形態で製作されることができる。（図７参照）
【００３６】
また、このような本体部１１２には、突起１１２ｄが形成されることができる。このような突起１１２ｄによって、飛び降り自殺をしようとする者が支持部１１０を把持して上ろうとすることを効果的に防止することができる。
【００３７】
また、本体部１１２の一側面には、長さ方向に沿って設置溝が形成されることができ、このような設置溝には、後述する棘部１６０がスライディング方式で着脱可能に設置されることができる。
【００３８】
前述した棘部１６０によれば、飛び降り自殺をしようとする者が本体部１１２を把持することが根本的に遮断されるので、飛び降り自殺をしようとする者の飛び降りがより効果的に阻止されることができる。
【００３９】
一方、図４及び図５に示すように、本体部１１２には、本体部１１２の上段に既定の外力が印加される場合、本体部１１２の上段が地面に向かう方向に傾いて、外力が除去されると、再び復元されるようにする弾性手段（図示せず）が設置されることができる。このような弾性手段（図示せず）によると、飛び降り自殺をしようとする者が本体部１１１の上段に設置されたパイプ１２１を把持する場合、パイプ１２１が地面に向かう方向に傾いて、飛び降り自殺をしようとする者の重心が撹乱されることができる。したがって、このような弾性手段（図示せず）によると、飛び降り自殺をしようとする者の飛び降りがより効果的に阻止されることができる。
【００４０】
回転部１２０は、前述した本体部１１２の端部に回転可能に設置されるものであって、飛び降り自殺をしようとする者によって把持される場合、回転して飛び降り自殺をしようとする者の飛び降りを阻止する。
【００４１】
このような回転部１２０は複数個に設けられて、本体部１１２に傾斜をなすように順次的に設置されることができる。この際、回転部１２０の間の間隔は、飛び降り自殺をしようとする者が抜け出すことができないように、一般的な大人の頭の狭い側の幅（１３ｃｍ〜１５ｃｍ）よりも小さい間隔で設けられることが好ましい。一方、一般的な大人の身長が１７０ｃｍとすると、回転部１２０は前述した間隔を考慮すると、３つで設けられて順次的に配置されることが好ましい。
前述した回転部１２０は、パイプ１２１と軸１２２とベアリング１２３と圧力センサー１２４を含む。
【００４２】
パイプ１２１は、内部空間を形成するものであって、内部空間には後述する軸１２２とベアリング１２３が設置される。このようなパイプ１２１は、飛び降り自殺をしようとする者が把持する場合、内部のベアリング１２３に接触して回転することによって、飛び降り自殺をしようとする者がパイプ１２１を把持して上ることを容易に防止する。
【００４３】
このようなパイプ１２１は、飛び降り自殺をしようとする者が簡単に把持することができないように、一般的な人のスパン（ｈａｎｄｓｐａｎ）よりも大きい直径で設けられることが好ましい。
また、このようなパイプ１２１は、重量は減少しながら強度は大きくなるように、アルミニウム（Ａｌｕｍｉｎｕｍ）材質で設けられることが好ましい。
【００４４】
一方、このようなパイプ１２１には圧力センサー１２４が設置されることができ、パイプ１２１付近には後述する監視カメラ１３０及びスピーカー１４０などの施設が設置されることができる。このような圧力センサー１２４、監視カメラ１３０、スピーカー１４０などの施設によって、飛び降り自殺をしようとする者がパイプ１２１を把持する場合、管制センター１５０でこれを即時認知して、スピーカー１４０で警告音を発生させるとともに管理人力を直ちに投入させることができる。これによって、飛び降り自殺をしようとする者の飛び降りがより効果的に阻止されることができる。
【００４５】
また、図７に示すように、このようなパイプ１２１の外周面には、パイプ１２１の長さ方向に沿って複数個のブレード１２１ａが設置されることができる。ブレード１２１ａによると、飛び降り自殺をしようとする者がパイプ１２１を把持することがより困難になって、飛び降り自殺をしようとする者の飛び降りがより効果的に阻止されることができる。
【００４６】
一方、このようなブレード１２１ａは、図７に拡大部分に示すように、パイプ１２１の外周面の接線方向に垂直な方向に傾きを有し、端部側で折曲することができる。このようなブレード１２１ａの形状によると、飛び降り自殺をしようとする者がパイプ１２１を把持することが事実上不可能になるので、飛び降り自殺をしようとする者の飛び降りがより効果的に阻止されることができる。
【００４７】
このようなブレード１２１ａがパイプ１２１に設置される場合、パイプ１２１はブレード１２１ａが設置されていないときのパイプ１２１の直径よりも小さい直径で設けなければならず、これによって、パイプ１２１の製作費用が大幅に節減される効果がある。
【００４８】
また、このようなブレード１２１ａがパイプ１２１に設置される場合、風によってパイプ１２１が回転することができる。前述した過程によって、回転するパイプ１２１に電力充電モジュールを連結すると、電力を生産することができる効果も期待することができる。
【００４９】
また、このようなパイプ１２１には、パイプ１２１の回転を阻止するブレーキ手段（図示せず）が追加的に設置されることができる。このようなブレーキ手段（図示せず）は、パイプ１２１の周辺に物体の存在を感知する近接センサー（図示せず）に連動されるように設置される。したがって、パイプ１２１の周辺に飛び降り自殺をしようとする者が存在しない場合には、ブレーキ手段（図示せず）が作動してパイプ１２１が回転しないが、パイプ１２１の周辺に飛び降り自殺をしようとする者が接近すると、近接センサー（図示せず）がこれを感知し、ブレーキ手段（図示せず）を解除することによってパイプ１２１が回転することができる。前述した過程によると、風の影響によって、パイプ１２１が回転することが効果的に防止されるので、風によってパイプ１２１が回転して騒音が発生する問題が効果的に予防される。
【００５０】
また、パイプ１２１には、長さ方向に沿って設置溝が形成されることができ、このような設置溝には、後述する棘部１６０が着脱可能にスライディング方式で設置されることができる。
【００５１】
前述した棘部１６０によると、飛び降り自殺をしようとする者がパイプ１２１を把持することが根本的に遮断されるので、飛び降り自殺をしようとする者の飛び降りが効果的に阻止されることができる。
【００５２】
また、パイプ１２１は、ポリカーボネート（Ｐｏｌｙｃａｒｂｏｎａｔｅ）材質で設けられて、内部が透明に設けられることができる。このような透明なパイプ１２１の内部に照明（図示せず）が設置される場合、美的な効果及び交通誘導灯として活用されることができる効果がある。また、透明なパイプ１２１を用いると、パイプ１２１の内部に飛び降りを防止する文句、写真、映像、ホログラムなどを表示することで、飛び降り自殺をしようとする者に役立つメッセージを伝達することができる効果もある。
【００５３】
軸１２２は、本体部１１２の端部に設置されるものであって、前述した内部空間に配置され、内部空間に設置されたベアリング１２３に連結される。このような軸１２２は、ベアリング１２３から本体部１１２の端部に向かう方向に従って直径が増加されるように形成され、側面から見たとき、テーパ（Ｔａｐｅｒ）の形態で設けられることができる。（すなわち、上側が水平であり、下側が傾きを有する形状）
【００５４】
このような軸１２２の形状によると、外部から軸１２２の上側面に流入する流体が軸下側の傾斜面に沿って本体部１１２側に容易に流出することができる。（一方、外力によって軸１２２が回転して、外力が除去される場合、軸１２２の下側部分の自重によって軸１２２は、上側が水平であり、下側が傾きを有する形態で自然に再配置される。）
【００５５】
このような軸１２２の形状によると、外部から物質、すなわち、雨水、湿気、雪などが軸１２２に沿って内部空間に浸透する場合、軸１２２の直径の変化によって、すなわち、軸１２２の傾斜面により、外部の物質が内部空間に浸透せず、傾斜面に沿って再び外部に容易に抜け出すことができる。これによって、冬季にベアリング１２３が結氷して、パイプ１２１が回転できない現象を効果的に防止する。
【００５６】
ベアリング１２３は、内部空間で回転可能に軸１２２に連結されるものであって、前述したパイプ１２１の内周面に接触する。このようなベアリング１２３によって、飛び降り自殺をしようとする者がパイプ１２１の外面を把持する場合、パイプ１２１が容易に回転することができる。
【００５７】
このようなベアリング１２３は、内部空間に配置される。すなわち、ベアリング１２３は外部に露出せず、パイプ１２１の内部に設置されるので、外部の物質、すなわち、雨水、湿気、雪などによって結氷する確率が大幅に低下する。これによって、冬季にもパイプ１２１が回転できない現象が効果的に防止される。
【００５８】
このようなベアリング１２３は、パイプ１２１が回転する場合、パイプ１２１が道路側方向にのみ向かうように外面に複数個の補助軸１２３ａと、弾性力のある素材で設けられ、複数個の補助軸１２３ａのうちのいずれか一つ以上に設置される掛かり部材１２３ｂが設置されることができる。
【００５９】
図１０に示すように、ベアリング１２３が反時計方向に回転する場合、掛かり部材１１２３ｂは、ベアリング１２３の内部に形成された形状に干渉を受けないのでそのまま回転する。しかし、図１１に示すように、ベアリング１２３が時計方向に回転する場合、掛かり部材１１２３ｂは、ベアリング１２３の内部に形成された形状に干渉を受けて掛かるようになり、これによって、パイプ１２１の回転が阻止される。
【００６０】
前述した通り、一方向にのみパイプ１２１を回転させるベアリング１２３によると、飛び降り自殺をしようとする者がパイプ１２１を把持する場合、パイプ１２１が内側、すなわち、飛び降り自殺をしようとする者側の方向にのみ回転するので、飛び降り自殺をしようとする者の飛び降り及び墜落が効果的に防止されることができる。また、例えば、作業者などがはしごなどを用いてパイプ１２１の近所で作業を進行する途中、パイプ１２１を足で踏む場合があり、このときにもパイプ１２１が内側に回転するので、作業者が道路側に墜落できるようになる。したがって、このようなベアリング１２３によると、作業者の安全が効果的に保障されることができる。
【００６１】
圧力センサー１２４は、ベアリング１２３に設置されるものであって、飛び降り自殺をしようとする者がベアリング１２３に接触することを感知して接触情報を生成し、生成された接触情報を管制センター１５０に伝達する。一方、このような圧力センサー１２４は、外部のホコリ、雨水などによって損傷することが防止されるように、前述したパイプ１２１の内部空間に設置されることが好ましい。
【００６２】
このようなパイプ１２１と軸１２２とベアリング１２３と圧力センサー１２４を含む回転部１２０によると、回転部１２０が飛び降り自殺をしようとする者によって把持される場合、回転部１２０が回転して飛び降り自殺をしようとする者の飛び降りが効果的に阻止されることができる。
【００６３】
監視カメラ１３０は構造物側に設置され、飛び降り自殺をしようとする者を撮影して映像情報を生成するものであって、生成された映像情報を後述する管制センター１５０に伝達するように管制センター１５０に電気的に連結される。このような監視カメラ１３０によって、飛び降り自殺をしようとする者が飛び降りを図る場合、管制センター１５０でこれを即時感知することによって、飛び降り自殺をしようとする者に管理人力を直ちに投入することができる。
【００６４】
スピーカー１４０は、構造物側に設置されて警告音を発生させるものであって、管制センター１５０に電気的に連結されて、管制センター１５０によって制御される。このようなスピーカー１４０によって、飛び降り自殺をしようとする者に飛び降りを阻止する警告を容易にすることができる。
【００６５】
管制センター１５０は、監視カメラ１３０で撮影される情報を基礎に飛び降り自殺をしようとする者をモニターするものであって、圧力センサーがパイプ１２１に外力が印加されることを感知する場合、スピーカー１４０を作動させて管理人力を飛び降り自殺をしようとする者側に投入させる。
【００６６】
このような管制センターによって、飛び降り自殺をしようとする者の飛び降りをより効果的にモニタリングできるのみならず、飛び降り自殺をしようとする者の飛び降りを効果的に防止することができる。
【００６７】
棘部１６０は、長さ方向に沿って複数個の尖端を形成するものであって、前述した支持部１１０及び回転部１２０のうちのいずれか一つ以上に形成された設置溝にスライディング形態で着脱可能に設置される。
【００６８】
前述した棘部１６０によると、飛び降り自殺をしようとする者が支持部１１０または回転部１２０を把持することが根本的に遮断されるので、飛び降り自殺をしようとする者の飛び降りがより効果的に阻止されることができる。
【００６９】
したがって、支持部１１０と回転部１２０と監視カメラ１３０とスピーカー１４０と管制センター１５０と棘部１６０を含む本発明の第１実施例に係る墜落防止及び飛び降り自殺防御回転体システム１００によると、支持部１１０または回転部１２０に着脱可能に設置される棘部１６０により、飛び降り自殺をしようとする者の飛び降り及び墜落がより効果的に阻止されることができ、構造物に損傷を与えず、結合部を構造物に設置することができる効果がある。
【００７０】
また、本発明の第１実施例に係る墜落防止及び飛び降り自殺防御回転体システム１００によると、飛び降り自殺をしようとする者が飛び降りを図る際、重心が撹乱されるので、飛び降り自殺をしようとする者の飛び降りが効果的に阻止されることができ、飛び降り自殺をしようとする者ではない人が墜落することも防止する効果がある。すなわち、墜落危険が高い地域において、子供、児童またはその他の大人などの不注意による墜落安全事故も予防されることができる効果がある。
ここからは、添付した図面を参照して、本発明の第２実施例に係る墜落防止及び飛び降り自殺防御回転体システムについて詳細に説明する。
【００７１】
本発明の第２実施例に係る墜落防止及び飛び降り自殺防御回転体システム２００は、支持部１１０と回転部１２０と監視カメラ１３０とスピーカー１４０と管制センター１５０とプレート部２６０と連結部２７０と照明部２８０を含む。
【００７２】
ここで、支持部１１０と回転部１２０と監視カメラ１３０とスピーカー１４０と管制センター１５０は、本発明の第１実施例に係る墜落防止及び飛び降り自殺防御回転体システム１００で説明した構成と同様であるため、重複説明は省略する。
【００７３】
図１９は、本発明の第２実施例に係る墜落防止及び飛び降り自殺防御回転体システムを正面から全体的に示した図であり、図２０は、本発明の第２実施例に係る墜落防止及び飛び降り自殺防御回転体システムを背面から全体的に示した図であり、図２１は、本発明の第２実施例に係る墜落防止及び飛び降り自殺防御回転体システムを側面から示した図である。
【００７４】
図１９〜図２１に示すように、プレート部２６０は支持部１１０に設置されて、一対の回転部１２０の間の間隔に配置されるものであって、流体が通過するように貫通孔が形成される。
【００７５】
このようなプレート部２６０に形成された貫通孔によって、風が流動することができ、これにより、風荷重が大幅に減少することができる。一方、このような貫通孔は、プレート部２６０の高さ方向に沿って形成された長孔状に形成されることができるが、これに必ずしも制限されるものではなく、風が通過して風荷重が減少することができれば、いかなる形態で形成されても構わない。このような貫通孔をロゴ、図形、絵などで形成する場合、視野性の増大とともに美的部分が増大する効果がある。貫通孔をロゴ、図形、絵などで形成させた後、貫通孔の下端部に後述する照明部２８０が設置される場合、貫通孔の切断面に沿って光を帯びて夜間に景観性が大幅に向上する効果がある。
【００７６】
一方、このようなプレート部２６０は、複数個に設けられて一部分が相互に向き合うように支持部１１０に設置されることができる。このようなプレート部２６０によると、流体、すなわち、風が流動する流動路が追加的に確保され、これによって、構造物に加わる風荷重がさらに減る効果がある。
【００７７】
このようなプレート部２６０は、貫通孔の形成が容易であり、全体の重量が減少するようにポリカーボネート（Ｐｏｌｙｃａｒｂｏｎａｔｅ）で設けられることが好ましい。
連結部２７０は、プレート部２６０を支持部１１０に設置させるものであって、一端部はプレート部２６０に連結され、他端部は支持部１１０に設置される。
照明部２８０は、貫通孔の切断面に沿って光を帯びるように貫通孔に光を照射するものであって、プレート部２６０の下側に設置される。
【００７８】
前述したように、貫通孔がロゴ、図形、絵などで形成される場合に、前述した照明によると、貫通孔の切断面に沿って光を帯びて夜間に景観性が大幅に向上する効果がある。
【００７９】
したがって、前述した支持部１１０と回転部１２０と監視カメラ１３０とスピーカー１４０と管制センター１５０とプレート部２６０と連結部２７０と照明部２８０を含む本発明の第２実施例に係る墜落防止及び飛び降り自殺防御回転体システム２００によると、飛び降り自殺をしようとする者の飛び降りが効果的に阻止され、景観性が確保されるとともに、構造物に加わる風荷重が最小化されることができる。
【００８０】
本発明の権利範囲は、前述した実施例に限定されるものではなく、添付した特許請求の範囲内で様々な形態の実施例で具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にある。
【符号の説明】
【００８１】
１０：構造物
１００：本発明の第１実施例に係る墜落防止及び飛び降り自殺防御回転体システム
１１０：支持部
１１１：結合部
１１２：本体部
１１２ａ：第１部
１１２ｂ：第２部
１１２ｃ：第３部
１１２ｄ：突起
１２０：回転部
１２１：パイプ
１２１ａ：ブレード
１２２：軸
１２３：ベアリング
１２３ａ：補助軸
１２３ｂ：阻止部材
１２４：圧力センサー
１３０：監視カメラ
１４０：スピーカー
１５０：管制センター
１６０：棘部
２００：本発明の第２実施例に係る向上した飛び降り自殺防御回転体システム
２６０：プレート部
２７０：連結部
２８０：照明部
【図１】
2019027275.tif 000003
【図２】
2019027275.tif 000004
【図３】
2019027275.tif 000005
【図４】
2019027275.tif 000006
【図５】
2019027275.tif 000007
【図６】
2019027275.tif 000008
【図７】
2019027275.tif 000009
【図８】
2019027275.tif 000010
【図９】
2019027275.tif 000011
【図１０】
2019027275.tif 000012
【図１１】
2019027275.tif 000013
【図１２】
2019027275.tif 000014
【図１３】
2019027275.tif 000015
【図１４】
2019027275.tif 000016
【図１５】
2019027275.tif 000017
【図１６】
2019027275.tif 000018
【図１７】
2019027275.tif 000019
【図１８】
2019027275.tif 000020
【図１９】
2019027275.tif 000021
【図２０】
2019027275.tif 000022
【図２１】
2019027275.tif 000023